(57)【要約】【課題】贈答者が被贈答者の住所がわからなくても、メール、メッセージカードを使用して贈り物を贈ることができるようにする。【解決手段】贈答者が贈答者側情報端末装置１からギフトサイト（２）にアクセスして、商品を購入し、ギフトサイト（２）から贈答者に商品ごとの商品IDとパスワードを発行してメールなどで送信する。次に、それを贈答者側情報端末装置（１）から被贈答者側情報端末装置（３）にメールアドレス・メッセージカードなどで送る。次に、被贈答者がギフトサイト（２）にアクセスし、商品ごとの商品ＩＤ・パスワードでログインして、被贈答者が被贈答者自身の住所・氏名・電話番号・宅配日時などを入力する。入力されたこれら情報はギフトサイト（２）から宅配業者側端末装置（４）に送信され、宅配業者を介して購入商品が被贈答者に宅配される。【選択図】  図１
2006323545.tif 000002
【特許請求の範囲】
【請求項１】
贈答用商品を取り扱う販売業者のギフトサイトに、通信網を介して商品の贈答を依頼する贈答者側の情報端末装置と、商品が贈答される被贈答者側の情報端末装置とをそれぞれ接続し、前記ギフトサイトにアクセスして商品を購入する贈答者の依頼を受けて、販売業者が被贈答者に商品を配達する贈答システムにおいて、
前記ギフトサイトは、贈答者が購入する商品ごとに付与される商品ID情報とパスワード情報の商品情報を格納する商品情報格納機能と、この商品情報格納機能に記録された商品情報を贈答者側情報端末装置と被贈答者側情報端末装置に送信する商品情報送信機能と、被贈答者側情報端末装置からアクセスする商品情報と前記商品情報格納機能の商品情報を照合してアクセスを許可するアクセス制御機能と、アクセス制御機能によりアクセスを許可された被贈答者が自身の住所、氏名、宅配日時などの被贈答者特定情報を記録する特定情報記録機能とを具備し、この特定情報記録機能に格納された情報に基づいて前記販売業者が被贈答者に商品を宅配することを特徴とする贈答システム。
【請求項２】
贈答者は、前記商品情報送信機能により受信した商品情報を、被贈答者側情報端末装置に送信することを特徴とする請求項１記載の贈答システム。
【発明の詳細な説明】
【技術分野】
【０００１】
本発明は、メール友達・チャット仲間など、バーチャルな友人などに贈り物等を贈ることができるようにすると共に、自分の友達等でも住所は知らないがメールアドレスは知っているなどの間柄、自分の友達等でよく会うが、贈り物等を渡すことのできない場面（シチュエーション）などに対応した贈答システムに関するものである。
【背景技術】
【０００２】
従来は贈答者が被贈答者へ贈り物等を贈る場合、贈答者が被贈答者へ直接渡す、または贈答者が被贈答者の住所がわかっていれば被贈答者に宅配するの方法しかなかった。また、インターネット等のネットを介する贈答システムとして、例えば特許文献１記載の技術があるが、この技術は相手側である被贈答者の住所がわかっている場合に、贈答者が贈り物を販売業者のサイトを通じて贈答できるようにしたものである。
【特許文献１】特開２００１−３３８１７４号公報
【発明の開示】
【発明が解決しようとする課題】
【０００３】
しかしながら、上記特許文献１記載の技術にあっては、被贈答者の住所が未知の場合には、ネットを通じて贈り物を贈りたくても贈答することができず、また、被贈答者が受け取り日時を販売業者に指定することができないシステムであるため、被贈答者の意志が反映されにくくなる問題があった。
【０００４】
本発明は、上記問題点に鑑みて工夫されたもので、贈答者がいままで住所がわからなくて贈り物等を贈れなかった人（被贈答者）に、贈り物を贈ることができる贈答システムを提供するようにしたものである。
【課題を解決するための手段】
【０００５】
本発明は、上記課題を解決するために、次のような手段を講ずることとした。すなわち、本発明に関わる贈答システムは、贈答用商品を取り扱う販売業者のギフトサイトに、通信網を介して商品の贈答を依頼する贈答者側の情報端末装置と、商品が贈答される被贈答者側の情報端末装置とをそれぞれ接続し、前記ギフトサイトにアクセスして商品を購入する贈答者の依頼を受けて、販売業者が被贈答者に商品を配達する贈答システムにおいて、前記ギフトサイトは、贈答者が購入する商品ごとに付与される商品ID情報とパスワード情報の商品情報を格納する商品情報格納機能と、この商品情報格納機能に記録された商品情報を贈答者側情報端末装置と被贈答者側情報端末装置に送信する商品情報送信機能と、被贈答者側情報端末装置からアクセスする商品情報と前記商品情報格納機能の商品情報を照合してアクセスを許可するアクセス制御機能と、アクセス制御機能によりアクセスを許可された被贈答者が自身の住所、氏名、宅配日時などの被贈答者特定情報を記録する特定情報記録機能とを具備し、この特定情報記録機能に格納された情報に基づいて前記販売業者が被贈答者に商品を宅配することを特徴とする。
【０００６】
本発明では、贈答者がギフトサイトで商品を購入し、ギフトサイトから贈答者側情報端末装置に商品ごとに付与された商品IDとパスワードなどの商品情報を発行してメールなどで送信する。また、このとき、被贈答者側情報端末装置にも同様に商品情報が送信される。被贈答者は受信した商品情報に基づいてギフトサイトにアクセスする。アクセス制御機能によりアクセスが許可されると、被贈答者は商品ごとの商品ＩＤ・パスワード（商品情報）でログインして、被贈答者自身の住所・氏名・電話番号・宅配日時などの特定情報を入力し、ギフトサイトである販売業者から被贈答者に商品が宅配されることとなる。
【０００７】
また、贈答者は、前記商品情報送信機能により受信した商品情報を、被贈答者側情報端末装置に送信するようにしてもよい。これによれば、ギフトサイトから商品情報を受けなくても、贈答者から直接に受信する商品情報に基づいて、被贈答者がギフトサイトにアクセスできるので、便利である。
【０００８】
また、本発明によれば、贈り物など、贈答者が被贈答者に贈りたい商品それぞれに商品IDとパスワードをギフトサイト・宅配便サイトなどから発行し、贈答者が被贈答者へその商品IDとパスワードをメールに張り付けて送る、または紙などのメッセージカードに書いて渡し、被贈答者がその商品IDとパスワードからギフトサイト・宅配便サイトなどへアクセスし、住所・氏名・電話番号等を入力すれば被贈答者へ贈り物等が届くものである。
【０００９】
また、贈答者が被贈答者の住所がわかっていてもいなくても、従来は贈答者に受け取り日時指定の決定権があったが、被贈答者がギフトサイト・宅配便サイトなどに直接アクセスできることから、被贈答者自身が受け取り日時を指定することができる。
【発明の効果】
【００１０】
贈答者が被贈答者に贈り物等を贈るときには、現物を直接渡す、または被贈答者の住所を聞かなければならなかったが、贈り物などに商品ID・パスワードを付けて発行し、これを贈答者から被贈答者へメールアドレスで送る、メッセージカードで渡すことにより、被贈答者が贈答者へ住所を教えることなく贈り物等をもらえることができるようになる。
【００１１】
従来の方法は、贈答者が被贈答者の意志に関係なく、もしくは被贈答者に都合のいい日時を聞いて受け取り日時を記入していたが、被贈答者がギフトサイト・宅配便サイトなどに直接アクセスすることにより、被贈答者が自分の送ってもらいたい受け取り日時を被贈答者自身が指定できるようになった。
【発明を実施するための最良の形態】
【００１２】
以下、本発明に係る実施の形態を、図面を参照して詳述する。図１は、本実施の形態における贈答システムの概要を示すシステム構成図である。システム構成の概要を説明すると、贈答者がインターネットに接続された贈答者側情報端末（１）からギフトサイト（２）にアクセスして、商品の販売業者が運営するギフトサイト（２）で商品を購入（ステップＳ１）し、ギフトサイト（２）から贈答者側情報端末装置に商品ごとの商品IDとパスワードを発行してメールなどで送信する（ステップＳ２）。次に、それを贈答者側情報端末装置（１）からインターネットに接続された被贈答者の被贈答者側情報端末装置（３）にメールアドレス・メッセージカードなどで送る（ステップＳ３）。次に、被贈答者が被贈答者側情報端末装置（３）からギフトサイト（２）にアクセスし、商品ごとの商品ＩＤ・パスワードでログインして、被贈答者が被贈答者自身の住所・氏名・電話番号・宅配日時などの被贈答者特定情報を入力し（ステップＳ４）、商品の販売業者はギフトサイト（２）から宅配業者の宅配業者端末装置（４）に被贈答者特定情報を送信し（ステップＳ５）、それを受けた宅配業者により贈答者が購入した商品が被贈答者に宅配される（ステップＳ６）。
【００１３】
贈り物など、贈答者が被贈答者に贈りたい商品それぞれに商品IDとパスワードをギフトサイト（２）・宅配便サイト（４）などから発行し、贈答者が被贈答者へその商品IDとパスワードをメールに張り付けて送る、または紙などのメッセージカードに書いて渡し、被贈答者がその商品IDとパスワードからギフトサイト・宅配便サイトなどへアクセスし、住所・氏名・電話番号等を入力すれば被贈答者へ贈り物等が届くものである。
【００１４】
贈答者が被贈答者の住所がわかっていてもいなくても、被贈答者がギフトサイト（２）・宅配便サイト（４）などに直接アクセスすることから、受け取り日時を被贈答者が指定できるようにしたものである。
【００１５】
図２に示すギフトサイト（２）内部の購買システムにおいて、贈答者側情報端末装置（１）は、主にパソコン、携帯電話などのインターネットに接続できる端末であり、贈答者がこれによってアクセスする機械である。上記贈答者側情報端末装置（１）は、インターネットを介してギフトサイト（２）に接続される（Ｓ１１２）。ギフトサイト（２）は、インターネット上のホームページであり、商店街サイトである。ネットワークとしてインターネットを用いたが、この代わりに、例えば、ＬＡＮ、電話網その他の通信網で構成してもよい。
【００１６】
会員登録（Ｓ１１３）は、ギフトサイトで買い物をするときに贈答者が会員登録をするところである。
【００１７】
ギフトサイトＡ（Ｓ１１４）〜ギフトサイトＺ（Ｓ１１６）は、商店街サイト内の各店舗のホームページである。
【００１８】
商品購入（Ｓ１１７）〜商品購入（Ｓ１１９）は、贈答者がギフトサイト内の各店舗の商品を贈答者側情報端末装置（１）からインターネットを介し、商店街サイト内のそれぞれの各店舗で購入した商品である。
【００１９】
贈り方の選択（Ｓ１２０）は、商店街サイト内で購入した商品を被贈答者に贈るときの、贈答者から被贈答者へメールで送信する（Ｓ１２１）・贈答者から被贈答者へメッセージカードを渡す（Ｓ１２２）・ギフトサイトから被贈答者へメールで送信する（Ｓ１２３）・被贈答者の住所を記入して送る（Ｓ１２４）の選択をするものである。
【００２０】
贈答者から被贈答者へメールで送信する（Ｓ１２１）は、贈答者が被贈答者に贈り物等を贈る場合に、ギフトサイト内で購入した贈り物等を被贈答者のメールアドレスのみで贈り物等を贈答者から被贈答者へ贈ることができる選択をしたものである。
【００２１】
贈答者から被贈答者へメッセージカードで渡す（Ｓ１２１）は、贈答者が被贈答者に贈り物等を贈る場合に、ギフトサイト内で購入した贈り物等を贈答者から被贈答者に直接メッセージカードを渡すことで、贈答者から被贈答者へ贈り物等を贈ることができる選択をしたものである。
【００２２】
ギフトサイトから被贈答者へメールで送信する（Ｓ１２２）は、贈答者が被贈答者に贈り物等を贈る場合に、ギフトサイトで購入した贈り物等をギフトサイト内に贈答者が被贈答者のメールアドレスを入力し、ギフトサイトから被贈答者へメール送信し、贈答者から被贈答者へ贈り物等を贈ることができる選択したものである。
【００２３】
被贈答者の住所を記入して送る（Ｓ１２３）は、贈答者が被贈答者にプレゼント等を贈る場合に、贈答者が被贈答者の住所をギフトサイト内に住所を入力して、ギフトサイト内各店舗からプレゼント等を贈ることができるようにしたものである。
【００２４】
図３において、（Ｓ２０１）は、図２の（Ｓ１２１）と同じである。（Ｓ２０２）は、図２の（Ｓ１２２）と同じである。（Ｓ２０３）は、図２の（Ｓ１２３）と同じである。（Ｓ２０４）は、図２の（Ｓ１２４）と同じである。
【００２５】
贈答者からの入金確認（Ｓ２０５）は、贈答者からギフトサイト（２）への入金が確認されたものである。
【００２６】
商品毎の商品ＩＤ付ホームページアドレスと商品ＩＤ・パスワードを作成（Ｓ２０６）は、贈答者が被贈答者に購入した贈り物等に、商品ＩＤ付ホームページアドレス・商品ＩＤ・パスワードを作成したものである。
【００２７】
受け取り用ホームページアドレス・作成した商品ＩＤ付ホームページアドレス・商品ＩＤ・パスワードを発行し、贈答者へメールで送信すると（Ｓ２０７）、贈答者は自己の端末装置（１）で、ステップＳ２０６で作成した商品毎の商品ＩＤ付ホームページアドレスと商品ＩＤ・パスワードと受け取り用ホームページアドレスを受信してウェブ画面上で閲覧することができる。
【００２８】
被贈答者は受け取り用ホームページアドレス・商品ＩＤ付ホームページアドレスと商品ＩＤ・パスワードを贈答者・ギフトサイトから被贈答者側情報端末装置（３）へ送信する（Ｓ２０８）は、贈答者もしくはギフトサイトから被贈答者へ商品ＩＤ付ホームページアドレスと商品ＩＤ・パスワードをＳ２０１・Ｓ２０２・Ｓ２０３で選択した方法で贈答者・ギフトサイトから被贈答者へ送るものである。
【００２９】
図４に示すように、贈答者から被贈答者へ送られたメール（Ｓ３０１）、贈答者から被贈答者へ渡されたメッセージカード（Ｓ３０２）、ギフトサイトから被贈答者へ送られたメール（Ｓ３０３）により、受け取り用ホームページアドレス、商品ＩＤ付ホームページアドレス、商品ＩＤ・パスワードが被贈答者に送られる。
【００３０】
被贈答者側情報端末（Ｓ３０４）は図１の符号（３）に相当し、被贈答者がギフトサイト（２）へアクセスするパソコン、携帯電話などの端末である。
【００３１】
被贈答者が受け取り用ホームページアドレス・商品ＩＤ付ホームページアドレスからギフトサイトへアクセス（Ｓ３０５）することにより、被贈答者は（Ｓ３０１）・（Ｓ３０２）・（Ｓ３０３）で送られた受け取り用ホームページアドレス・商品ＩＤ付ホームページアドレスからギフトサイトにアクセスすることができる。
【００３２】
受け取り用ホームページアドレス・商品ＩＤ付ホームページアドレス・商品ＩＤ・パスワードからギフトサイトにアクセスしてログインする（Ｓ３０６）することにより、被贈答者は自己の被贈答者側情報端末装置（３）におけるウェブ画面上にギフトサイトのホームページを表示して閲覧できるようになる。
【００３３】
（Ｓ３０７）は、被贈答者が、贈答者からの贈り物を受け取るか、受け取らないかの選択を行うができるものである。
【００３４】
被贈答者が贈答者からの贈り物を受け取る場合（Ｓ３０８）は、贈答者からの贈り物を被贈答者が受け取る許可をしたものである。
【００３５】
被贈答者が贈答者からの贈り物を受け取らない場合（Ｓ３０９）は、贈答者からの贈り物を被贈答者が受け取り拒否したものである。
【００３６】
被贈答者の住所・氏名・電話番号・配達日時等を入力（Ｓ３１０）は、被贈答者が贈答者からの贈り物等を届けてもらいたい場所（住所）・氏名・電話番号・配達日時等を入力するものである。
【００３７】
贈答者へ返金もしくはポイントへ加算する（Ｓ３１１）は、被贈答者が贈答者からの贈り物等の受け取りを拒否した場合、贈答者へ返金もしくはポイント加算するものである。ポイントは、次回利用時に可能。
【００３８】
図５において、被贈答者が配送先の住所・氏名・電話番号等を入力する（Ｓ４０１）は、図４に示す（Ｓ３１０）と同じである。
【００３９】
被贈答者が希望する配達日時を選択（Ｓ４０２）は、被贈答者がギフトサイトへアクセスすることから、被贈答者が送ってもらいたい配達日時を入力するのである。
【００４０】
配達日時と商品の仕入れ日に余裕がある（Ｓ４０３）は、被贈答者がアクセスして配達日時を入力した日と、被贈答者が指定した配達日時に余裕がある場合には自社で作成するものである。
【００４１】
配達日時指定が近い、もしくはすぐに配達する（Ｓ４０４）は、被贈答者がアクセスして配達日時を入力した日と、被贈答者が指定した配達日時に余裕がない場合、契約しているお店に商品の作成・配達を依頼することを示すものである。
【００４２】
被贈答者へ配送（Ｓ４０５）は、（Ｓ４０３）・（Ｓ４０４）で商品を作成後、被贈答者へ発送するものである。
【００４３】
図６において、被贈答者の住所を記入して送る（Ｓ５０１）は、図３に示す（Ｓ２０４）と同じである。
【００４４】
贈答者が宅配日時の選択をする（Ｓ５０２）は、贈答者が被贈答者に届く受け取り日時を決定する選択を行うものである。
【００４５】
被贈答者が受け取り日時の選択をする（Ｓ５０３）は、受け取り日時の選択を被贈答者が行う選択をしたものである。
【００４６】
入金確認（Ｓ５０４）は、贈答者からの入金をギフトサイトまたは各ギフトサイトに出店している店舗が確認するものである。
【００４７】
被贈答者からのアクセスがないときの最終アクセス日の選択（Ｓ５０５）は、贈答者が被贈答者にギフトサイトから発行された商品ＩＤ付ホームページアドレス・商品ＩＤ・パスワードをメール・メッセージカードなどで送った際に、被贈答者からギフトサイトへのアクセスがなかった場合の最終アクセス日を贈答者が決定するステップである。
【００４８】
受け取り日時を記入する（Ｓ５０８）は、（Ｓ５０５）で被贈答者がアクセスしなかった場合に、贈答者が被贈答者へ商品の宅配をする際に受け取り日時の選択を決定できるものである。
【００４９】
商品の仕入れ日・作成日に合わせる・受け取り日時指定に余裕がある（Ｓ５０６）は、被贈答者が希望した配達日時と被贈答者がギフトサイトにアクセスした日との間に数日の余裕がある場合には、自社で商品を作成するものである。
【００５０】
受け取り日時指定が近い、もしくはすぐに宅配（Ｓ５０７）は、被贈答者が希望した配達日時と被贈答者がギフトサイトにアクセスした日との間に余裕がない場合、契約しているお店に商品の作成を依頼するものである。
【００５１】
被贈答者へ発送（Ｓ５１１）は、（Ｓ５０９）・（Ｓ５１０）で作成した商品を被贈答者へ発送するものである。
【００５２】
終了（Ｓ５１２）は、全ての作業が終了したものである。
【００５３】
図７において、宅配日時を記入する（任意入力）（Ｓ６０１）は、図６に示す（Ｓ５０８）と同じである。
【００５４】
入金確認（Ｓ６０３）は、贈答者からの入金をギフトサイトまたは各ギフトサイトに出店している店舗が確認するものである。
【００５５】
作成した商品ＩＤ付ホームページアドレス・商品ＩＤ・パスワードを発行し、贈答者へメールで送信（Ｓ６０２）は、贈答者が被贈答者のために購入した贈り物等に、商品ＩＤ付ホームページアドレスと商品ＩＤ・パスワードを作成し、ギフトサイトから贈答者へメールで送信するステップである。
【００５６】
贈答者から被贈答者へ送られた、商品ID付ホームページアドレスと商品ID・パスワードからギフトサイトへアクセス（Ｓ６０３）は、被贈答者が贈答者から送られた商品ID付ホームページアドレスと商品ID・パスワードからギフトサイトへアクセスすることを示すものである。
【００５７】
商品ID付ホームページアドレスと商品ID・パスワードからギフトサイトへアクセス（Ｓ６０３）した被贈答者は、（Ｓ６０４）において、被贈答者が希望する配達日時を選択する。
【００５８】
商品の仕入れ日・作成日に合わせる・受け取り日時指定に余裕がある（Ｓ６０６）は、被贈答者が希望した配達日時と被贈答者がギフトサイトにアクセスした日との間に数日の余裕がある場合には、自社で商品を作成するものである。
【００５９】
受け取り日時指定が近い、もしくはすぐに宅配する（Ｓ６０７）は、被贈答者が希望した配達日時と被贈答者がギフトサイトにアクセスした日との間に余裕がない場合、契約しているお店に商品の作成を依頼するものである。
【００６０】
被贈答者へ発送する（Ｓ６１０）は、（Ｓ６０８）・（Ｓ６０９）で作成した商品を被贈答者へ発送するものである。
【図面の簡単な説明】
【００６１】
【図１】本発明に係る実施の形態におけるシステム全体の概要を示すシステム構成図である。
【図２】同じく、ギフトサイト内部の購買システムを示す贈答者の購入から贈り方の選択までのブロック図である。
【図３】同じく、贈答者側送り方の選択システムを示す、購入者の贈り方の選択から支払い・商品ＩＤ付ホームページアドレス・商品ＩＤ・パスワードを贈答者へ発行するまでのブロック図である。
【図４】同じく、被贈答者側送り方の選択システムを示す、贈答者の贈り方の選択から被贈答者が贈答者からの受け取りを許可・拒否するまでのブロック図である。
【図５】同じく、住所入力宅配システムを示す被贈答者が被贈答者自身の情報を入力する過程から被贈答者へ配送するまでのブロック図である。
【図６】同じく、受け取り日時宅配システムを示す、贈答者が被贈答者の住所がわかっている場合においての、贈答者の贈り方の選択から被贈答者の配送までのブロック図である。
【図７】同じく、受け取り日時宅配システムを示す、贈答者が被贈答者の住所がわかっている場合においての、宅配日時を入力するから被贈答者へ配送するまでのブロック図である。
【符号の説明】
【００６２】
Ａ  贈答者
Ｂ  ギフトサイト
Ｃ  被贈答者
１１１  贈答者側情報端末装置
【図１】
2006323545.tif 000003
【図２】
2006323545.tif 000004
【図３】
2006323545.tif 000005
【図４】
2006323545.tif 000006
【図５】
2006323545.tif 000007
【図６】
2006323545.tif 000008
【図７】
2006323545.tif 000009